(57)【要約】【課題】測定データレポート出力装置において、レポートのレイアウトの自由度を高める。【解決手段】測定データに基づいてレポートを出力する測定データレポート出力装置１００であって、レポートコンテンツを示すレイアウトパーツをリスト表示したレイアウトパーツ表示エリア２０１と、ユーザの操作に基づいて前記レイアウトパーツが配置されるレイアウトブロックエリア２０２とを含んだレイアウト編集画面２００を表示するレイアウト編集処理部１３１と、レイアウトブロックエリア２０２に配置されたレイアウトパーツに従ったレイアウトのレポート印刷処理を行なう出力部１３３と、を備える。【選択図】図１
2020076630.tif 000002
【特許請求の範囲】
【請求項１】
測定データに基づいてレポートを出力する測定データレポート出力装置であって、
レポートコンテンツを示すレイアウトパーツをリスト表示したレイアウトパーツ表示エリアと、ユーザの操作に基づいて前記レイアウトパーツが配置されるレイアウトブロックエリアとを含んだレイアウト編集画面を表示するレイアウト編集処理部と、
前記レイアウトブロックエリアに配置されたレイアウトパーツに従ったレイアウトのレポート印刷処理を行なう出力部と、
を備えたことを特徴とする測定データレポート出力装置。
【請求項２】
前記レイアウトブロックエリアは、ブロック単位に区分されており、
前記レイアウトパーツは、ブロックを単位とした固有のサイズが定められており、前記レイアウトブロックエリアの区分されたブロックに収められて配置されることを特徴とする請求項１に記載の測定データレポート出力装置。
【請求項３】
前記レイアウト編集処理部が、前記レイアウトブロックエリアを区分するブロックの大きさ、または数に関する設定を受け付けることを特徴とする請求項２に記載の測定データレポート出力装置。
【請求項４】
前記レイアウト編集処理部が、前記レイアウト編集画面上で、レイアウトパーツの移動操作を受け付けることで前記レイアウトブロックエリアに前記レイアウトパーツを配置することを特徴とする請求項１〜３のいずれか１項に記載の測定データレポート出力装置。
【発明の詳細な説明】
【技術分野】
【０００１】
本発明は、測定装置の測定データをレポート出力する測定データレポート出力装置に関する。
【背景技術】
【０００２】
ＯＴＤＲ（光パルス試験器）等の測定装置の測定データをレポート出力する測定データレポート出力装置が知られている。測定データレポート装置は、例えば、測定装置に対応して開発されたアプリケーションソフトウェアをＰＣ等の情報処理装置で実行することにより構成される。また、測定装置に測定データレポート出力装置としての機能を含める場合もある。
【０００３】
一般に、測定データレポート出力装置では、種々のコンテンツが出力可能となっており、例えば、ＯＴＤＲであれば、測定情報、測定結果、波形、イベントリスト、マーカ情報等多岐にわたっている。
【０００４】
ユーザが必要な情報のみをレポート出力することができるように、従来からレポートのレイアウトを設定可能な測定データレポート出力装置が実用化されている。図８（ａ）（ｂ）、図９は、従来のレポートレイアウト設定画面５００の一例を示す図である。
【０００５】
これらの図に示すように、レポートレイアウト設定画面５００は、レイアウト指定領域５１０とレイアウトプレビュー領域５２０とを備えている。レイアウト指定領域５１０は、コンテンツの段組として１列または２列を指定する列数指定領域５１１と、レポートに表示させるコンテンツを指定するコンテンツ指定領域５１１とを備えている。
【０００６】
コンテンツ指定領域５１１には、測定情報、測定結果、ファイバー端面画像等のコンテンツのリストと、各コンテンツに対応したチェックボックスとが表示されており、ユーザは、表示させたいコンテンツに対応したチェックボックスにチェックマークを付すことでレポートに表示させるコンテンツを指定することができる。
【０００７】
レイアウトプレビュー領域５２０には、コンテンツ指定領域５１１の指定結果に応じたレイアウトプレビューがリアルタイムで表示される。図８（ａ）（ｂ）は、列数指定領域５１１で１列が指定されたときと、２列が指定されたときのレイアウトプレビュー領域５２０の変化の様子を表し、図９は、図８（ａ）からコンテンツ指定領域５１１の指定内容を変更したときのレイアウトプレビュー領域５２０の変化の様子を表している。
【先行技術文献】
【特許文献】
【０００８】
【特許文献１】特開２０１６−５３５４２号公報
【特許文献２】特開２０１１−１２８８７７号公報
【発明の概要】
【発明が解決しようとする課題】
【０００９】
レポートレイアウト設定画面５００でレポートに表示させるコンテンツを指定することはできるが、レイアウトに関しては、列数を設定できる程度で自由度が低く、いろいろな表示パターンでレポートを出力したいというユーザの要望に十分応えることができなかった。
【００１０】
そこで、本発明は、測定データレポート出力装置において、レポートのレイアウトの自由度を高めることを目的とする。
【課題を解決するための手段】
【００１１】
上記課題を解決するため、本発明の１態様である測定データに基づいてレポートを出力する測定データレポート出力装置は、レポートコンテンツを示すレイアウトパーツをリスト表示したレイアウトパーツ表示エリアと、ユーザの操作に基づいて前記レイアウトパーツが配置されるレイアウトブロックエリアとを含んだレイアウト編集画面を表示するレイアウト編集処理部と、前記レイアウトブロックエリアに配置されたレイアウトパーツに従ったレイアウトのレポート印刷処理を行なう出力部と、を備えたことを特徴とする。
ここで、前記レイアウトブロックエリアは、ブロック単位に区分されており、前記レイアウトパーツは、ブロックを単位とした固有のサイズが定められており、前記レイアウトブロックエリアの区分されたブロックに収められて配置されるようにしてもよい。
また、前記レイアウト編集処理部が、前記レイアウトブロックエリアを区分するブロックの大きさ、または数に関する設定を受け付けるようにしてもよい。
また、前記レイアウト編集処理部が、前記レイアウト編集画面上で、レイアウトパーツの移動操作を受け付けることで前記レイアウトブロックエリアに前記レイアウトパーツを配置するようにしてもよい。
【発明の効果】
【００１２】
本発明によれば、測定データレポート出力装置において、レポートのレイアウトの自由度を高めることができる。
【図面の簡単な説明】
【００１３】
【図１】本実施形態に係る測定データレポート出力装置の構成を示すブロック図である。
【図２】レイアウト編集動作について説明するフローチャートである。
【図３】レイアウト編集画面の一例を示す図である。
【図４】編集中のレイアウト編集画面の一例を示す図である。
【図５】プレビュー動作について説明するフローチャートである。
【図６】プレビュー画面の一例を示す図である。
【図７】プレビュー画面における強調表示を説明する図である。
【図８】従来のレポートレイアウト設定画の一例を示す図である。
【図９】従来のレポートレイアウト設定画の一例を示す図である。
【発明を実施するための形態】
【００１４】
本発明の実施の形態について図面を参照して説明する。図１は、本実施形態に係る測定データレポート出力装置１００の構成を示すブロック図である。測定データレポート出力装置１００は、測定装置の測定データに基づいてレポートを出力する装置である。
【００１５】
測定データレポート出力装置１００は、例えば、測定装置に対応して開発されたアプリケーションソフトウェアをＰＣ等の情報処理装置で実行することにより構成することができる。また、測定装置が備える機能部として構成してもよい。測定装置は、ＯＴＤＲ、オシロスコープ、レコーダ等種々の装置を用いることができる。
【００１６】
本実施形態では、測定装置であるＯＴＤＲ装置に対応して開発されたアプリケーションソフトウェアをインストールした情報処理装置で測定データレポート出力装置１００を構成した場合を例に説明する。情報処理装置は、マウス、キーボード等の入力装置、モニタ装置、印刷装置等の出力装置、ハードディスク等の記憶装置が利用可能になっている。
【００１７】
本図に示すように測定データレポート出力装置１００は、測定データ取得部１１０、データ解析部１２０、レポート処理部１３０を備えている。これらは、情報処理装置が備えるＣＰＵ、メモリ、通信インタフェース等により構成することができる。
【００１８】
測定データ取得部１１０は、測定装置から測定データを取得する。測定データ取得部１１０が取得する測定データは、測定の結果として得られたデータのみならず、測定条件や測定対象等の測定に関する情報、機種情報等の測定装置に関する情報等を含むものとする。
【００１９】
データ解析部１２０は、設定等に基づいて測定データに基づく解析を行なう。測定データに基づく解析は、例えば、波形への展開、イベント抽出、集計等とすることができる。
【００２０】
レポート処理部１３０は、レポート出力に関する処理を行なう。本実施形態において、レポート処理部１３０は、レイアウト編集処理部１３１、プレビュー処理部１３２、出力部１３３を備えている。
【００２１】
レイアウト編集処理部１３１は、ユーザの操作に基づいて出力するレポートのレイアウト編集処理を行なう。プレビュー処理部１３２は、ユーザの操作に基づいて、レポートのプレビュー表示に関する処理を行なう。出力部１３３は、ユーザの操作に基づいてレポートの印刷処理を行なう。
【００２２】
次に、本実施形態のレポート処理部１３０の動作について説明する。まず、レイアウト編集処理部１３１のレイアウト編集動作について図２のフローチャートを参照して説明する。
【００２３】
レイアウト編集動作は、ユーザから所定の操作によりレイアウト編集指示を受け付けることで開始する（Ｓ１０１）。所定の操作は、例えば、メニューからの選択とすることができる。レイアウト編集処理部１３１は、レイアウト編集指示を受け付けると、レイアウト編集画面を表示する（Ｓ１０２）。なお、レイアウト編集指示は、新規作成または作成済のレイアウトの読み込みを選択できるようにすることが望ましい。さらには、汎用的なレイアウトのテンプレートを選択できるようにしてもよい。
【００２４】
図３は、レイアウト編集画面２００の一例を示す図である。本図に示すように、レイアウト編集画面２００は、レイアウトパーツ表示エリア２０１とレイアウトブロックエリア２０２を備えている。
【００２５】
レイアウトパーツ表示エリア２０１は、レポートに表示可能なコンテンツを示すレイアウトパーツがリスト表示されたエリアである。レイアウトパーツは、測定装置に応じたコンテンツとすることができ、ＯＴＤＲの場合には「測定情報」「測定結果」「ファイバー端面画像」「波形」「イベントリスト」「マーカ情報」「集計表」等とすることができる。例えば、「測定情報」は、測定に関する情報を表示するためのレイアウトパーツであり、「波形」は測定結果の波形を表示するためのレイアウトパーツである。
【００２６】
各レイアウトパーツは、横×縦のサイズが定められている。このサイズは後述するブロックの占有領域の大きさを示している。例えば、「測定情報」は横２×縦１となっており、横２ブロック分、縦１ブロック分を占有することを示している。また、「測定結果」は横１×縦１となっており、横１ブロック分、縦１ブロック分を占有することを示している。「波形（大）」、「波形（小）」のように同じ表示対象で異なるサイズを含めるようにしてもよい。
【００２７】
なお、縦のサイズはレポート印刷の際に実際の表示内容に応じて変化するため、横のサイズのみを定めるようにしてもよい。また、ユーザが任意のテキストを入力できるテキスト入力用のレイアウトパーツや、印刷時にスペースを設けるためのスペース挿入用のレイアウトパーツ、ロゴ等のマークを印刷するためのレイアウトパーツ等を含めるようにしてもよい。
【００２８】
レイアウトブロックエリア２０２は、レイアウトパーツを配置するための領域である。レイアウトブロックエリア２０２は、複数のブロックに分割されている。本図の例では、横２×縦８の１６個のブロックに分割されている。本図の例では、ブロックの区切を点線で示しているが、点線は非表示にしてもよい。
【００２９】
領域の分割数やブロックのサイズをユーザが設定できるようにしてもよい。また、エリアの縦長、横長を選択できるようにしてもよい。これにより、印刷用紙のサイズ、向き等に応じた自由度の高いレポートレイアウトを設定できるようになる。
【００３０】
レイアウト編集処理部１３１は、レイアウト編集画面２００上でユーザからの編集操作を受け付ける（Ｓ１０３）。ユーザは、ドラッグアンドドロップ、ダブルクリック等のマウス操作、タッチパネル操作等により、レポートで表示したいコンテンツに対応したレイアウトパーツをレイアウトブロックエリア２０２に配置することでレイアウトを編集することができる。
【００３１】
レイアウトパーツは、点線をグリッドとしてレイアウトブロックエリア２０２に配置され、サイズに応じたブロックを占有する。レイアウトパーツは、レイアウトブロックエリア２０２のパーツ未配置のブロックに配置することができる。同じレイアウトパーツを複数個配置してもよいし、同じ表示対象でサイズの異なるレイアウトパーツを両方配置してもよい。
【００３２】
レイアウト編集処理部１３１は、編集操作を受け付けると、リアルタイムで画面を更新する（Ｓ１０４）。図４は、編集中のレイアウト編集画面２００の一例を示している。図中の矢印がユーザの操作を表しており、指定されたパーツがレイアウトブロックエリア２０２に配置されている。
【００３３】
レイアウト編集中にユーザからプレビュー表示指示を受け付けると（Ｓ１０５：Ｙｅｓ）、プレビュー処理部１３２がプレビュー動作を行なう（Ｓ１０６）。プレビュー処理部１３２が行なうプレビュー動作については後述する。
【００３４】
レイアウト編集処理部１３１は、ユーザから編集終了の指示を受け付けると（Ｓ１０７：Ｙｅｓ）、編集済のレイアウトを保存して本処理を終了する（Ｓ１０８）。この際に、名称等の識別子を付し、複数種類のレイアウトを保存できるようにすることが望ましい。これにより、複数レイアウトの管理や、他のユーザとのレイアウトの共有を容易に行なうことができる。
【００３５】
このようなレイアウト編集動作を行なうことで、測定データレポート出力装置１００は、レポートのレイアウトの自由度を高めている。
【００３６】
次に、プレビュー処理部１３２のプレビュー動作（Ｓ１０６）について図５のフローチャートを参照して説明する。上述のように、レイアウト編集中にユーザからプレビュー表示指示を受け付けると、プレビュー処理部１３２は、プレビュー動作を開始し（Ｓ１０６）、プレビュー画面３００を表示する（Ｓ２０１）。
【００３７】
図６は、プレビュー画面３００の一例を示す図である。本図に示すように、プレビュー画面３００は、プレビュー表示領域３０１と出力内容設定領域３０２とを備えている。プレビュー画面３００では、プレビュー表示領域３０１の位置が、レイアウト編集画面２００のレイアウトブロックエリア２０２の位置と重なるように画面を遷移させる。これによりユーザがレイアウトとプレビューとの対応を感覚的に理解しやすくなる。
【００３８】
プレビュー表示領域３０１には、レイアウトブロックエリア２０２に配置されたレイアウトパーツにしたがったコンテンツが測定データを用いて表示される。例えば、領域３０１ａは「測定情報」を表示し、領域３０１ｂ、領域３０１ｃは「Ｍａｐ」を表示し、領域３０１ｄ、領域３０１ｅは「波形（小）」を表示し、領域３０１ｆ、領域３０１ｇは「イベントリスト（小）」を表示している。
【００３９】
各領域は、横幅はレイアウトパーツの横サイズに等しくなっているが、縦幅は、測定データに基づいて表示される内容に応じた長さとなっている。レポートが２ページ以上になる場合には、矢印ボタン３０１ｈ、３０１ｉを操作することでページを移動することができる。
【００４０】
出力内容設定領域３０２の設定内容を変更することで、各領域の表示内容の詳細設定を行なうことができる。出力内容設定領域３０２には、プレビュー表示領域３０１に表示されている項目に対応した詳細設定欄３０２ａ〜３０２ｄが配置されている。詳細設定欄３０２ａ〜３０２ｄでは、表示されるアイテムや表示態様の詳細等について設定することができる。詳細設定欄３０２ａ〜３０２ｄでの設定変更は即座にプレビュー表示領域３０１に反映される。
【００４１】
本図の例では、詳細設定欄３０２ａは「測定情報」に対応し、詳細設定欄３０２ｂは「Ｍａｐ」に対応し、詳細設定欄３０２ｃは「波形（小）」に対応し、詳細設定欄３０２ｄは「イベントリスト（小）」に対応している。
【００４２】
詳細設定欄３０２ａ〜３０２ｄは、全体表示と省略表示が切り替えられるようになっている。本図の例では、「測定情報」の詳細設定欄３０２ａが全体表示され、「Ｍａｐ」の詳細設定欄３０２ｂ、「波形（小）」の詳細設定欄３０２ｃ、「イベントリスト（小）」の詳細設定欄３０２ｄが省略表示されている。
【００４３】
また、図７に示すように、プレビュー処理部１３２は、プレビュー表示領域３０１のあるコンテンツ上にマウスカーソルが移動すると、そのコンテンツと、対応する詳細設定欄とを強調表示するようにしている。また、ある詳細設定欄上にマウスカーソルが移動すると、その詳細設定欄と、対応するコンテンツとを強調表示するようにしている。これにより、設定受付対象となるコンテンツと詳細設定との対応を容易に視認することができるようになる。本図の例では、マウスカーソルｍｃが「測定情報」上に移動しているため。「測定情報」と詳細設定欄３０２ａが強調表示されている。
【００４４】
ユーザがプレビュー画面３００を確認した結果、レイアウトの修正を指示した場合には（Ｓ２０２：Ｙｅｓ）、レイアウト編集画面２００に戻り、再度編集操作を受け付ける（Ｓ１０３）。
【００４５】
レイアウトの修正が不要であれば（Ｓ２０２：Ｎｏ）、出力部１３３を介してレポートの印刷を行なう（Ｓ２０３）。レポートの印刷では、プレビュー表示領域３０１で表示された内容と同じ印刷結果が得られる。
【００４６】
このため、ユーザは、実際に印刷させる前に、レポートの印刷イメージを得ることができ、レポートの内容の確認や調整を効率よく行なえるようになる。
【符号の説明】
【００４７】
１００…測定データレポート出力装置
１１０…測定データ取得部
１２０…データ解析部
１３０…レポート処理部
１３１…レイアウト編集処理部
１３２…プレビュー処理部
１３３…出力部
２００…レイアウト編集画面
２０１…レイアウトパーツ表示エリア
２０２…レイアウトブロックエリア
３００…プレビュー画面
３０１…プレビュー表示領域
３０２…出力内容設定領域
【図１】
2020076630.tif 000003
【図２】
2020076630.tif 000004
【図３】
2020076630.tif 000005
【図４】
2020076630.tif 000006
【図５】
2020076630.tif 000007
【図６】
2020076630.tif 000008
【図７】
2020076630.tif 000009
【図８】
2020076630.tif 000010
【図９】
2020076630.tif 000011